(57)【要約】【課題】簡単な構造であり、作業性がよく、見通しの良好な鉄道車両用袖仕切りの構造及び鉄道車両用袖仕切りの製造方法を提供する。【解決手段】腰掛１０の端部に配置される鉄道車両用袖仕切り１は、略矩形のガラスの仕切板２、縦枠３、上枠４、下枠５とを有する。具体的には、縦枠３の上下端に上枠４と下枠５とがそれぞれ取り付けられ、これにより形成されるコの字状枠に仕切板２が嵌め込まれている。そして、仕切板２の周縁部２Ｅの一部（コの字状枠に接する部分）が、弾性部材である鳩尾ゴム６とコの字状枠のフランジ部３３，４３，５３とに挟持される。また上枠４と下枠５の先端部には貫通孔４５，５５が設けられ、スタンション（手すり）７が連通される。【選択図】図１
2012011962.tif 000002
【特許請求の範囲】
【請求項１】
鉄道車両の側壁に沿って設けられた腰掛の端部に配置される鉄道車両用袖仕切り構造であって、
上枠と下枠と縦枠と、これらに保持される光透過性の仕切板とを有し、
前記縦枠の上下端に前記上枠と下枠とが結合されコの字状枠を形成し、
前記上枠と下枠との先端部にスタンションが連通されて、
前記コの字状枠によって前記仕切板の全周の一部が、弾性部材を用いて保持されていることを特徴とする鉄道車両用袖仕切り構造。
【請求項２】
前記仕切板が略矩形であり、前記コの字状枠によって、前記仕切板の３辺が、前記弾性部材を用いて保持されていることを特徴とする請求項１に記載の鉄道車両用袖仕切り構造。
【請求項３】
前記上枠と下枠と縦枠とは、長手方向断面が直交する２辺を有する切り欠き部と、該切り欠き部に隣接し前記２辺のうち一方辺部を含む面に前記弾性部材を嵌合するための嵌合溝と、を備え、
前記弾性部材を前記嵌合溝に嵌合した状態で、前記一方辺部を含む面から前記弾性部材の一部が突出し、前記仕切板が前記弾性部材の一部と他方辺部を含む面を持つ挟持部とにより保持されていることを特徴とする請求項１又は２に記載の鉄道車両用袖仕切り構造。
【請求項４】
前記切り欠き部に前記弾性部材を取り付けた状態で、前記切り欠き部の軸方向端部と前記弾性部材の軸方向端部とが一致する若しくは人の指が入らない隙間を有することを特徴とする請求項３に記載の鉄道車両用袖仕切り構造。
【請求項５】
前記弾性部材を前記嵌合溝に嵌合した状態で、前記弾性部材の前記一方辺部を含む面から突出した部分の長手方向断面が扇形に形成され、
前記上枠と下枠とにおける前記切り欠き部の軸方向端部に隣接する面が、前記扇形の円弧形状に対向する辺を有して形成されていることを特徴とする請求項４に記載の鉄道車両用袖仕切り構造。
【請求項６】
前記縦枠は、板状の中空型材で、該中空部分が前記上枠と下枠とに設けられた取付片が嵌合されるよう形成され、
前記縦枠の腰掛と反対側のおもて面に化粧板が取り付けられ、
前記縦枠のおもて面に、前記化粧板が取り付けられた状態で、該化粧板の端部が隠れるように車体上下方向に延びる断面L字状の突出片部を有することを特徴とする請求項１〜５のいずれか１項に記載の鉄道車両用袖仕切り構造。
【請求項７】
前記弾性部材は断面の一部に鳩尾状部分を有し、前記嵌合溝の断面が鳩尾形であることを特徴とする請求項１〜６のいずれか１項に記載の鉄道車両用袖仕切り構造。
【請求項８】
鉄道車両の側壁に沿って設けられた腰掛の端部に配置される鉄道車両用袖仕切りの製造方法であって、
板状型材である縦枠の上下端部に、上枠と下枠とをそれぞれ固定してコの字状枠を形成する工程と、
前記コの字状枠内に光透過性の仕切板を配置して、前記仕切板が前記縦枠と上枠と下枠とに当接する辺に沿って弾性部材を取り付け、前記仕切板を保持する工程と、
前記上枠と下枠の先端部にスタンションを連通させ固定する工程と、を備えた鉄道車両用袖仕切りの製造方法。
【請求項９】
鉄道車両の側壁に沿って設けられた腰掛の端部に配置される鉄道車両用袖仕切り構造であって、
上枠と下枠と縦枠と、これらに保持される光透過性の仕切板とを有し、
前記縦枠の上下端に前記上枠と下枠とが結合されコの字状枠を形成し、
前記縦枠は板状の中空型材で、該中空部分が前記上枠と下枠とに設けられた取付片が嵌合されるよう形成されたことを特徴とする鉄道車両用袖仕切り構造。
【請求項１０】
前記縦枠の座席反対側のおもて面に化粧板が取り付けられ、
前記縦枠は、前記化粧板が取り付けられた状態で該化粧板の端部が隠れるように車体上下方向に延びる断面L字状の突出片部と、弾性部材を取り付けるための取付溝と、該取付溝に前記弾性部材を嵌合した状態で該弾性部材とにより前記仕切板を保持するフランジと、を備えたことを特徴とする請求項９に記載の鉄道車両用袖仕切り構造。
【発明の詳細な説明】
【技術分野】
【０００１】
本発明は、鉄道車両の側壁に沿って配される腰掛の端部に設けられた鉄道車両用袖仕切り構造及びその製造方法に関する。
【背景技術】
【０００２】
主として通勤車両等の在来線の鉄道車両においては、側壁に沿ってロングシート型の腰掛が配置され、その腰掛の両端部には、通常袖仕切りが設置されている。袖仕切りは、出入口付近の立客と着座客との干渉防止や、出入口から吹き込む風に対する防寒・防風のために設けられている。このような鉄道車両用袖仕切り構造は、従来から種々提案されている（例えば、特許文献１、２参照）。
【０００３】
特許文献１に記載の鉄道車両用袖仕切りは、腰掛側の化粧板と出入口側の化粧板、２枚の化粧板が金属製の骨組みの両側に接着されて袖仕切りユニットを形成し、該袖仕切りユニットと車体側壁との間に弾性部材を介在させ、該袖仕切りユニットをネジ止めする構造である。
【０００４】
特許文献２に記載の鉄道車両用袖仕切りは、腰掛側の化粧板と出入口側の化粧板、２枚の化粧板が金属製の骨組みの両側に配し、これの周縁部に飾り縁を圧入により取付することにより、該２枚の化粧板を該骨組みに取り付ける構造である。
【０００５】
ところで、乗車率が高い地域の通勤車両においては、通勤時に車内が混雑するため、袖仕切りの面積を大きくして着座客と立客との接触を完全に避けたいというニーズがある。その反面、袖仕切りの面積を大きくした場合、車内の見通しが悪くなるため、安全（防犯）性やデザイン性が損なわれるといった課題が残る。
【０００６】
そこで、ガラスを用いた袖仕切り構造が採用されている例がある。従来のガラスを用いた袖仕切りは、ガラスの破損などの事故を防止するため、ガラスの周囲を剛な枠で囲む構造がとられ、さらにガラスを受けるフランジを枠に別途取り付け、ガラスを装着した後にガラス押さえをガラスの周囲に取り付ける構造としていた。
【０００７】
しかしながら、従来の構造では周囲の剛な枠とガラスのフチ材（ガラス受フランジ、ガラス押え）との形状を厳密に合せる必要がありコスト高となっており、作業にも手間がかかっていた。
【先行技術文献】
【特許文献】
【０００８】
【特許文献１】特開２００７−０２２３１３号公報
【特許文献２】特開２００７−１５３０７５号公報
【発明の概要】
【発明が解決しようとする課題】
【０００９】
上記のように従来の袖仕切り構造には、以下の点で改良すべき余地がある。
（１） 不透明な袖仕切りの場合、車内の見通しが悪くなり安全性（防犯）及びデザイン性が損なわれるという課題がある。
（２） 従来のガラスを用いた袖仕切りの場合、構造が複雑であるため部品点数が多く、調整が猥雑で、作業に手間がかかり製造コストもかかる。
【００１０】
本発明は上述の点に鑑みてなされたもので、袖仕切りに光透過性の部材を用いた鉄道車両用袖仕切りであって、かつ、構造が簡単で作業性がよく製造コストを抑えうる鉄道車両用袖仕切り構造及び鉄道車両用袖仕切りの製造方法を提供することを目的とする。
【課題を解決するための手段】
【００１１】
上記の課題を解決するために本発明に係る鉄道車両用袖仕切り構造は、鉄道車両の側壁に沿って設けられた腰掛の端部に配置される鉄道車両用袖仕切り構造であって、上枠と下枠と縦枠と、これらに保持される光透過性の仕切板とを有し、前記縦枠の上下端に前記上枠と下枠とが結合されコの字状枠を形成し、前記上枠と下枠との先端部にスタンションが連通されて、前記コの字状枠によって前記仕切板の全周の一部が、弾性部材を用いて保持されていることを特徴とする。
【００１２】
この構成によれば、光透過性の仕切板を用いているため、車内の見通しがよい。ここで光透過性の仕切板とは、例えばガラス板やアクリル板などをいい、その他の透明や半透明な板を含む。
【００１３】
そして、この仕切板が枠にゴム等の弾性部材を用いて取り付ける構造であるため構造が簡単で、調整も容易である。また、枠がコの字形状であるため、枠への仕切板の取り付けが簡単で、作業性がよい。さらに、仕切板の交換の際に枠を分解する必要がなく、弾性部材を外せば仕切り板を容易に取り外せ、新しい仕切り板に交換し弾性部材を取り付けるだけで仕切り板を交換できる。コの字形状とは上枠や下枠が湾曲している略コの字形状を含む。
【００１４】
なお、仕切板の形状は、コの字状枠にきっちりと取り付けられるよう、少なくとも３辺を有する形状が望ましい。例えば、矩形状や台形状、コの字状の３辺を有しそれ以外の１辺が曲線を描く形状、もしくはコの字状の３辺を有する多角形状のものが考えられる。また、本構造は仕切板がガラス材等の光透過性以外の素材にも適用でき、特に表面強度が高くなく、汚れやすい素材を袖仕切りに使用する場合に効果が大きい。
【００１５】
請求項２に係る鉄道車両用袖仕切り構造は、前記仕切板が略矩形であり、前記コの字状枠によって、前記仕切板の３辺が、前記弾性部材を用いて保持されていることとしてもよい。
【００１６】
この構成によれば、４辺のうち３辺を弾性部材により保持するため、安定して枠に取り付けることができる。
【００１７】
請求項３に係る鉄道車両用袖仕切り構造は、前記上枠と下枠と縦枠とは、長手方向断面が直交する２辺を有する切り欠き部と、該切り欠き部に隣接し前記２辺のうち一方辺部を含む面に前記弾性部材を嵌合するための嵌合溝と、を備え、前記弾性部材を前記嵌合溝に嵌合した状態で、前記一方辺部を含む面から前記弾性部材の一部が突出し、前記仕切板が前記弾性部材の一部と他方辺部を含む面を持つ挟持部とにより保持される。
【００１８】
この構成によれば、上枠と下枠と縦枠とに、弾性部材を嵌合するための嵌合溝と、弾性部材とによって仕切板を保持するための挟持部が一体に設けられているため、従来よりも部品点数を削減できる。
【００１９】
請求項４に係る鉄道車両用袖仕切り構造は、前記切り欠き部に前記弾性部材を取り付けた状態で、前記切り欠き部の軸方向端部と前記弾性部材の軸方向端部とが一致する若しくは人の指が入らない隙間を有することが好ましい。
【００２０】
この構成によれば、鉄道車両に袖仕切りを設置した状態において、乗客が隙間に指を入れることによる怪我を防止することができる。また、同時に乗客が隙間に指を入れて弾性部材を取り外すことも防止できる。
【００２１】
請求項５に係る鉄道車両用袖仕切り構造は、前記弾性部材を前記嵌合溝に嵌合した状態で、前記弾性部材の前記一方辺部を含む面から突出した部分の長手方向断面が扇形に形成され、前記上枠と下枠とにおける前記切り欠き部の軸方向端部に隣接する面が、前記扇形の円弧形状に対向する辺を有して形成されていてもよい。
【００２２】
この構成によれば、上枠及び下枠の切り欠き部に弾性部材を取り付けた状態で、弾性部材と、これに続く上枠と下枠の先端部とが滑らかに繋がる。したがって、請求項４の場合に比べ、さらに隙間に指が入りづらくなる上、角部がなく安全である。また、弾性部材と上枠及び下枠との面が綺麗に繋がるため、見栄えもよい（図４（ｄ）参照）。
【００２３】
請求項６に係る鉄道車両用袖仕切り構造は、前記縦枠は、板状の中空型材で、該中空部分が前記上枠と下枠とに設けられた取付片が嵌合されるよう形成され、前記縦枠の座席反対側のおもて面に化粧板が取り付けられ、前記縦枠のおもて面に、前記化粧板が取り付けられた状態で、該化粧板の端部が隠れるように車体上下方向に延びる断面L字状の突出片部を有することが好ましい。
【００２４】
この構成によれば、上枠及び下枠と、縦枠との結合が簡単で、位置決めも容易にでき、作業性が向上する。また、従来は袖仕切りに化粧板を取り付ける場合、袖仕切りおもて面（出入口側）に接着剤で止めた後、化粧板の縁と切り口を覆うようにＬ字状の外枠を別途取り付ける必要があった。一般的に化粧板の縁や切り口は、その切断面が粗くひっかかりやすく、デザイン性が損なわれるのを防ぐために隠すものである。
なお、化粧板を取り付ける位置は、袖仕切りのおもて面に限定されず、腰掛側のうら面またはその両方に取り付けても良く、化粧板以外の補強板などを取り付けても良い。
【００２５】
そこで、請求項６に記載のように縦枠の端部に車体上下方向に伸びる断面L字状の突出片部を設けることで、従来のように別途L字状の外枠を取り付ける必要がなく、さらに部品点数を削減できる。
【００２６】
請求項７に係る鉄道車両用袖仕切り構造は、前記弾性部材の断面の一部に鳩尾状部分を有し、前記嵌合溝の断面が鳩尾形であることが好ましい。
【００２７】
この構成によれば、弾性部材の鳩尾状部分を嵌合溝に嵌合することで、弾性部材がしっかりと固定でき抜けづらい。ここで鳩尾状とは鳩の尾形状の末広がりの台形様の形状をいう。鳩尾形状とすることで、抜けづらく安定して固定できるだけでなく、嵌合溝と弾性部材の鳩尾部分との形状にある程度の誤差があっても、弾性部材を抜けにくくできる。
【００２８】
請求項８に係る鉄道車両用袖仕切りの製造方法は、鉄道車両の側壁に沿って設けられた腰掛の端部に配置される袖仕切りの製造方法であって、板状型材である縦枠の上下端部に、上枠と下枠とをそれぞれ固定してコの字状枠を形成する工程と、前記コの字状枠内に光透過性の仕切板を配置して、前記仕切板が前記縦枠と上枠と下枠とに当接する辺に沿って弾性部材を取り付け、前記仕切板を保持する工程と、前記上枠と下枠の先端部にスタンションを連通させ固定する工程と、を備えたことを特徴とする。
【００２９】
この構成によれば、部品点数が少ないため、工数が少なく、簡単に袖仕切りを製造することができる。
【００３０】
請求項９に係る鉄道車両用袖仕切り構造は、鉄道車両の側壁に沿って設けられた腰掛の端部に配置される袖仕切りの構造であって、上枠と下枠と縦枠と、これらに保持される光透過性の仕切板とを有し、前記縦枠の上下端に前記上枠と下枠とが結合されコの字状枠を形成し、前記縦枠は板状の中空型材で、該中空部分が前記上枠と下枠とに設けられた取付片が嵌合されるよう形成されたことを特徴とする。
【００３１】
この構成によれば、上枠及び下枠と縦枠との結合が縦枠の中空部分に上枠及び下枠の取付片との嵌合によってできるため、作業性が向上する。また、これにより形成されたコの字状枠に仕切板を嵌め込むための構造であるため、部品点数も少なく簡単な構造で、さらに作業性を向上できる。なお、縦枠が中空型材であるため軽量化もされる。
【００３２】
請求項１０に係る鉄道車両用袖仕切り構造は、前記縦枠の座席反対側のおもて面に化粧板が取り付けられ、前記縦枠は、前記化粧板が取り付けられた状態で該化粧板の端部が隠れるように車体上下方向に伸びる断面L字状の突出片部と、弾性部材を取り付けるための取付溝と、該取付溝に前記弾性部材を嵌合した状態で該弾性部材とにより前記仕切板を保持するフランジと、を備えることが好ましい。
【００３３】
この構成によれば、上枠と下枠と縦枠とに、弾性部材を嵌合するための嵌合溝と、弾性部材とによって仕切板を保持するためのフランジ（挟持部）が一体に設けられているため、従来よりも部品点数を削減できる。
【００３４】
また、縦枠のおもて面端部に車体上下方向に伸びる断面L字状の突出片部を設けることで、従来の化粧板を設置する際に別途必要であったL字状の外枠の取り付けが不要となり、さらに部品点数を削減できる。
【発明の効果】
【００３５】
以上のように、本発明に係る袖仕切り構造及び袖仕切りの製造方法は、上記の構成からなるため、車内見通しがよく安全性に優れ、かつ、部品点数が少なくコストを抑えられ、作業効率もよい。
【図面の簡単な説明】
【００３６】
【図１】本発明の鉄道車両用袖仕切り構造の概要を示す側面図である。
【図２】図１における仕切板と上枠との接続部を示すＸ−Ｘ線拡大断面図である。
【図３】（ａ）は、本発明の袖仕切り構造にかかる縦枠の斜視図である。（ｂ）は、同縦枠に弾性部材、仕切板、化粧板を取り付けた状態の斜視図である。
【図４】（ａ）は、切り欠き部の端部拡大図である。（ｂ）は、弾性部材を嵌合溝に取り付けた状態の端部拡大図である。（ｃ）は、同側面図である。（ｄ）は、鳩尾ゴム６の変形例である鳩尾ゴム６’を取り付けた状態の斜視図である。
【図５】本発明の鉄道車両用袖仕切りの製造方法における製造工程を示す説明図である。
【発明を実施するための形態】
【００３７】
以下、本発明に係る鉄道車両用袖仕切り構造及びその製造方法の実施形態について、図面に基づき説明する。なお、本発明は下記実施形態に限定されるものではない。
【００３８】
１．[鉄道車両用袖仕切りの構造]
図１に示すように、ロングシート型の腰掛１０の端部に配置される鉄道車両用袖仕切り１は、略矩形のガラスの仕切板２、縦枠３、上枠４、下枠５とを主要な構成要素とする。具体的には、縦枠３の上下端に上枠４と下枠５とがそれぞれ取り付けられ、これにより形成されるコの字状枠に仕切板２が嵌め込まれている。そして、仕切板２の周縁部の一部（コの字状枠に接する部分）が、弾性部材である鳩尾ゴム６とコの字状枠のフランジ部３３，４３，５３とに挟持固定されている（図２参照）。また上枠４と下枠５の先端部には貫通孔４５，５５が設けられ、スタンション（手すり）７が連通されている。なお、スタンション７と仕切板２との間には隙間Ｃ１が設けられ、立客がスタンション７を握った際、指が入らない構成となっている。
【００３９】
（１）縦枠３
次に、鉄道車両用袖仕切り１の縦枠３について図３に基づき説明する。
縦枠３は、アルミの押し出し型材である。外形は板状で、内部に上下方向に延びる中空部３４が設けられている。この中空部３４に上枠４の取付片４４、下枠の取付片５４を嵌合して、縦枠３に上枠４と下枠５とが取り付けられる。
【００４０】
また、縦枠３の仕切板２側には断面略矩形の切り欠き部３１が設けられ、仕切板２との接触面に軸方向断面が鳩尾形（仕切板との接触面側から車体側壁側にかけて広がる）の嵌合溝３２が設けられている。そして、嵌合溝３２に鳩尾ゴム６が嵌合され、この鳩尾ゴム６とフランジ部３３とにより仕切板２が挟持される。ここで、仕切板２を取り付ける前にフランジ部３３に沿って、断面Ｌ字状のライナー（黒ゴム）１１を取り付ける。このようにすれば、仕切板２がライナー１１を介してフランジ部３３と鳩尾ゴム６とで挟持されるため、仕切板２を摩擦によって安定して挟持できる。なお、鳩尾ゴム６の形状詳細については後述する。
【００４１】
さらに、縦枠３のおもて面（車両出入口側面）には、仕切板２側端部に上下方向に延びる断面Ｌ字状の突出片部３５が一体に設けられている。この突出片部３５は、化粧板８を縦枠３に取り付ける際の位置決めの役割と、縦枠３のおもて面に化粧板８が取り付けられた状態で化粧板８の端部切り口を覆い隠す役割をする。
【００４２】
（２）上枠４と下枠５
続き、上枠４と下枠５とについて図３（ｂ）及び図４に基づき説明する。
下枠５は鋳造により成形される。下枠５は棒形状で、縦枠３と当設する部分に上向きに突出する２つの取付片５４が一体に設けられている。叙述の通り、取付片５４は縦枠３の中空部３４に嵌合し、縦枠３と締結される。このように構成されているため、別部品をネジ止めや溶接取付する必要がない。また、下枠５の先端部にはスタンション７を取り付けるための貫通孔５５が設けられている。
【００４３】
図４（ａ）に示すように、下枠５の仕切板２が取り付けられる部分には、断面略矩形の切り欠き部５１が設けられ、仕切板２との接触面に軸方向断面が鳩尾形の嵌合溝５２が設けられている。この嵌合溝５２に鳩尾ゴム６が嵌合され、鳩尾ゴム６とフランジ部５３とにより仕切板２が挟持される。そして、縦枠３と同様、下枠５のフランジ部５３についてもライナー１１を貼り付けることで、仕切板２を安定して挟持できる。また、下枠５のおもて面側には、縦枠３との接合部及び化粧板８の下側端部を覆い隠すための被覆片５６が一体に設けられている。なお、角部５７は引っかかり防止と安全を考慮して、面取りし球面に形成している。
【００４４】
次に、下枠５に鳩尾ゴム６を取り付けた状態の図を、図４（ｂ），（ｃ）に示す。本実施形態においては、下枠５に鳩尾ゴム６を取り付けた状態で、鳩尾ゴム６の両端部に隙間Ｃ２が形成されるよう構成されている。この隙間Ｃ２は約５ｍｍで、人の指が入らない寸法となっている。これは、いたずらによって鳩尾ゴム６が簡単に取り外しされないようにするためである。したがって、隙間Ｃ２を０ｍｍとして鳩尾ゴム６の両端が下枠５に当接するよう構成してもよい。ただし、隙間Ｃ２に５ｍｍ程度の寸法をつけることで、鳩尾ゴム６を工具を用いて取り外す際に、下枠５に傷をつけずに取り外すことができる。なお、上枠４は下枠５と同様の構造であるため、説明を省略する。
【００４５】
（３）鳩尾ゴム６
鳩尾ゴム６とは、断面の一部に末広がりの鳩尾形状部分を有するゴムであって、扇形部６Ａと鳩尾部６Ｂとが結合され、断面全体が２つ山様形状のゴムである。前述の通り、この鳩尾部６Ｂが縦枠３，上枠４，下枠５の各嵌合溝３２，４２，５２に嵌合され、扇形部６Ａがこの各嵌合溝より突出する形となっている（図２参照）。そして、仕切板２が、この扇形部６Ａと各フランジ部３３，４３，５３とにより挟み保持される。
【００４６】
鳩尾ゴム６が鳩尾部６Ｂを有する構成とすることで、鳩尾ゴム６が各嵌合溝３２，４２，５２から、簡単に外れないようにしている。さらには、鳩尾部６Ｂと各嵌合溝３２，４２，５２の断面形状に多少の寸法誤差があっても、矩形の場合に比べて外れにくいため、寸法誤差が許容され作業性がよい。
【００４７】
なお、図４（ｄ）に示すように、鳩尾ゴム６の変形例として、断面が扇形部６Ａ’と鳩尾部６Ｂ’とを結合した鳩尾ゴム６’を用いても良い。この鳩尾ゴム６’は、扇形部６Ａ’の円弧状辺部を含む側面６ａ’が、下枠５の側面下部５ａと、角部５７の面と滑らかに繋がるよう形成しているため、見栄えがよく、人の指も入りづらい。
【００４８】
２．[鉄道車両用袖仕切りの製造方法]
次に、鉄道車両用袖仕切り１の製造方法について、図５の製造工程フロー図に基づき説明する。なお、図５（〇）は鉄道車両用袖仕切り１の主要構成部品を示す図であり、工程（Ｉ）〜工程（Ｖ）により鉄道車両用袖仕切り１を袖仕切りユニットとしてあらかじめ工場等で成形し、その状態で鉄道車両に取り付ける。以下、工程に沿って説明する。
【００４９】
（１）工程Ｉ
まず、縦枠３のおもて面に接着剤を塗布し、化粧板８の端部を縦枠３の突出片部３５に差し込むように、縦枠３のおもて面に化粧板８を接着する。その後、縦枠３の中空部３４に上枠４の取付片４４を差し込み、縦枠３と上枠４とをネジで締結する。
【００５０】
（２）工程ＩＩ
同様に、縦枠３の中空部３４に下枠５の取付片５４を差し込み、縦枠３と下枠５とをネジで締結する。
【００５１】
（３）工程ＩＩＩ
続き、縦枠３の車体取付側の端部に袖取付金９をネジ止めする。なお、袖取付金９は、鉄道車両用袖仕切り１を車体に取り付けるための断面Ｌ字状の金具であって、化粧板８の車体側端部の切り口を覆う役目もする。
【００５２】
そして、縦枠３及び上枠４並びに下枠５のフランジ部３３，４３，５３の仕切板２が当接する面に沿って、断面Ｌ字状のライナー１１を取り付ける。ライナー１１を取り付けることで、鳩尾ゴム６とライナー１１との摩擦によって仕切板２を安定して挟持できる。
【００５３】
（４）工程ＩＶ
次に、縦枠３と上枠４と下枠５とにより形成されるコの字状枠に仕切板２を嵌め込み、各嵌合溝３２，４２，５２に沿って、仕切板２の縁部３辺を囲むように鳩尾ゴム６を取り付ける。
【００５４】
（５）工程Ｖ
最後に、上枠４と下枠５に設けられた貫通孔４５，５５にスタンション７を差し込みネジ止めして、鉄道車両用袖仕切り１が完成する。そして、この鉄道車両用袖仕切り１を鉄道車両の車体へ取り付ける。
【００５５】
以上のとおり、図面を参照しながら本発明の好適な実施形態を説明したが、本発明の趣旨を逸脱しない範囲で、種々の追加、変更または削除が可能である。とくに、本実施形態においては、仕切板２が鳩尾ゴム６とコの字状枠のフランジ部３３，４３，５３とに挟持固定される構成であるが、これに代えて、仕切板２を弾性接着剤を用いてコの字状枠に保持固定することも可能である。
【産業上の利用可能性】
【００５６】
本発明に係る鉄道車両用袖仕切り構造は、主として鉄道車両の袖仕切りに好適に用いることができる外、ガラスを利用したその他のパーティション構造にも適用可能である。
【符号の説明】
【００５７】
１  鉄道車両用袖仕切り
２  仕切板
３  縦枠
３１  切り欠き部
３２  嵌合溝
３３  フランジ部
３４  中空部
３５  突出片部
４  上枠
４１  切り欠き部
４２  嵌合溝
４３  フランジ部
４４  取付片
４５  貫通孔
４６  被覆片
５  下枠
５１  切り欠き部
５２  嵌合溝
５３  フランジ部
５４  取付片
５５  貫通孔
５６  被覆片
５ａ  側面下部
６  鳩尾ゴム
６Ａ  扇形部
６Ｂ  鳩尾部
６’鳩尾ゴム（変形例）
６Ａ’扇形部
６Ｂ’鳩尾部
６ａ’側面
７  スタンション（手すり）
８  化粧板
９  袖取付金
１０  腰掛
１１  ライナー
Ｃ１  隙間
Ｃ２  隙間
【図１】
2012011962.tif 000003
【図２】
2012011962.tif 000004
【図３】
2012011962.tif 000005
【図４】
2012011962.tif 000006
【図５】
2012011962.tif 000007